(57)【要約】【課題】茎系作物を簡単な操作で切断でき、かつ切断した茎系作物を強制的に掻き込んで収穫する。【解決手段】収穫器本体１０は、同軸状に延設され本体の上部で内軸２０，外軸２２を軸承するスリーブ２６と、スリーブ２６に一体固定されたハンドル支持部３４と、ハンドル支持部３４に回動可能に軸着され内軸２０，外軸２２を回転操作する操作ハンドル２４とを有する操作部１２と、本体の下部でアスパラガスを切断可能に対向配置され、外軸２２と内軸２０に夫々固定された上部刃３６と下部刃３８を有するカッタ部１４と、カッタ部１４よりも下方で、切断されたアスパラガスを受ける受け台４０と、その上方に配置されたホルダ４２とで形成された作物収納部１６と、上部刃３６と連動して配置され、切断後のアスパラガスを強制的に作物収納部１６に掻き込む掻込部１８とを有している。【選択図】　　　図１
2004073135.tif 000002
【特許請求の範囲】
【請求項１】
収穫器本体に装着された操作ハンドルと、
該操作ハンドルの操作に基き移動して、アスパラガス等の茎系作物を切断可能な切断刃と、
該切断刃にて切断された前記茎系作物を収納する作物収納部と、
前記切断刃に連動して配置され、切断後の前記茎系作物を前記作物収納部に強制的に掻き込む掻込部と、を備えている、
ことを特徴とする作物収穫器。
【請求項２】
同軸状に延設され相対回転可能な内軸及び外軸を軸方向の一側にて軸承するスリーブと、該スリーブに一体的に固定されたハンドル支持部と、該ハンドル支持部に回動可能に軸着され前記内軸及び外軸を回転操作する操作ハンドルと、を有する操作部と、
該操作部に対し前記軸方向の他側にて、育成したアスパラガス等の茎系作物を切断可能に対向配置され、前記内軸及び外軸のいずれか一方に固定された上部刃、及びいずれか他方に固定された下部刃を有するカッタ部と、
該カッタ部よりも前記軸方向の端部に配置されて、切断された茎系作物の下面を受ける受け台と、該受け台の上方に配置された保持部材とで形成された作物収納部と、
前記上部刃及び下部刃のいずれか一方と連動して配置され、切断後の茎系作物を強制的に前記作物収納部に掻き込む掻込部と、を有している
ことを特徴とする作物収穫器。
【請求項３】
前記上部刃及び下部刃は、前記操作ハンドルの操作に基き、変換機構を介して前記内軸及び外軸と一体的に回転自在に連結され、かつ前記上部刃の方が前記下部刃よりも大きいストロークで回転する、
ことを特徴とする請求項２記載の作物収穫器。
【請求項４】
前記変換機構は、前記内軸に固定された第１の回転部材と、前記外軸に固定された第２の回転部材と、該第１及び第２の回転部材と前記操作ハンドルの出力側とを連結する第１及び第２の連結部材とを有し、
前記第１と第２の回転部材の回転半径が異なると共に、前記操作ハンドルの入力側の操作に基き、前記内軸及び外軸が反対方向に異なる角度回転して、前記上部刃の方が前記下部刃よりも大きいストロークで回転する、
ことを特徴とする請求項３記載の作物収穫器。
【発明の詳細な説明】
【０００１】
【発明の属する技術分野】
本発明は、アスパラガス等の茎系作物の作物収穫器に関し、特に、アスパラガス等の収穫を簡単な操作で効率的に行うことのできる作物収穫器に関する。
【０００２】
【従来の技術】
従来、この種アスパラガス等の作物収穫器として、例えば実開昭６２−１４４４３３号公報に記載の技術が公知であり、この従来技術によれば、上下に延びる柄の下部に切断刃とアスパラガスのガイド部材、及び切断刃の後方にアスパラガス受けを取付けると共に、柄の上部にハンドルを取付けた点が開示されている。そして、作業時にはこのハンドルを持ち、立ち姿勢でアスパラガスを切断刃及びガイドの間に入り込むようにし、更に、柄の先端を土に刺して固定し、ハンドルをひねると、切断刃がガイドに近接するように回転してアスパラガスが根元から切断される。こうして切断されたアスパラガスは、ガイド部材によってアスパラガス受けの内側に入るように誘導され収穫されるというものである。
【０００３】
また、他の従来技術として、例えば実開平５−２９３３２号公報に記載の技術が公知であり、この従来技術によれば、作業者の手から足に至る長さの柄の上部にグリップを取付け、下部に水平面内で作動する切断刃を取付け、この切断刃の上方に該切断刃と連動する作物保持鋏を設け、更に、前記グリップと切断刃及び作物保持鋏の間に連動機構を設け、茎系作物の最適切断長に相当する採寸ポールを柄に沿わせて設けた点が開示されている。
【０００４】
【発明が解決しようとする課題】
しかし、前述した従来技術によれば、いずれも１枚の切断刃が回転してアスパラガスを切断するものであるため、切断不良が生じて収穫作業に支障をきたすおそれがあった。また、従来技術によれば、切断したアスパラガスを強制的に作物収納室へ案内して取り込む構成を有しておらず、このため、切断したアスパラガスが収穫かごに安定的に収納されず、該収穫かごからこぼれるおそれがあった。
【０００５】
本発明は、斯かる課題を解決するためになされたもので、その目的とするところは、茎系作物を簡単な操作で切断でき、かつ切断した茎系作物を強制的に作物収納部に掻き込んで収穫することのできる作物収穫器を提供することにある。
【０００６】
【課題を解決するための手段】
前記目的を達成するため、請求項１記載の発明は、収穫器本体（１０）に装着された操作ハンドル（１２）と、
該操作ハンドル（１２）の操作に基き移動して、アスパラガス等の茎系作物を切断可能な切断刃（３６）と、
該切断刃（３６）にて切断された前記茎系作物を収納する作物収納部（１６）と、
前記切断刃（３６）に連動して配置され、切断後の前記茎系作物を前記作物収納部（１６）に強制的に掻き込む掻込部（１８）と、を備えていることを特徴とする。
【０００７】
請求項２記載の発明は、同軸状に延設され相対回転可能な内軸（２０）及び外軸（２２）を軸方向の一側にて軸承するスリーブ（２６）と、該スリーブ（２６）に一体的に固定されたハンドル支持部（３４）と、該ハンドル支持部（３４）に回動可能に軸着され前記内軸（２０）及び外軸（２２）を回転操作する操作ハンドル（２４）と、を有する操作部（１２）と、
該操作部（１２）に対し前記軸方向の他側にて、育成したアスパラガス等の茎系作物を切断可能に対向配置され、前記内軸（２０）及び外軸（２２）のいずれか一方に固定された上部刃（３６）、及びいずれか他方に固定された下部刃（３８）を有するカッタ部（１４）と、
該カッタ部（１４）よりも前記軸方向の端部に配置されて、切断された茎系作物の下面を受ける受け台（４０）と、該受け台（４０）の上方に配置された保持部材（４２）とで形成された作物収納部（１６）と、
前記上部刃（３６）及び下部刃のいずれか一方と連動して配置され、切断後の茎系作物を強制的に前記作物収納部（１６）に掻き込む掻込部（１８）と、を有していることを特徴とする。
【０００８】
請求項３記載の発明は、請求項２記載の作物収穫器において、前記上部刃（３６）及び下部刃（３８）は、前記操作ハンドル（２４）の操作に基き、変換機構（５０）を介して前記内軸（２０）及び外軸（２２）と一体的に回転自在に連結され、かつ前記上部刃（３６）の方が前記下部刃（３８）よりも大きいストロークで回転することを特徴とする。
【０００９】
請求項４記載の発明は、請求項３記載の作物収穫器において、前記変換機構（５０）は、前記内軸（２０）に固定された第１の回転部材（５２）と、前記外軸（２２）に固定された第２の回転部材（５４）と、該第１及び第２の回転部材（５２，５４）と前記操作ハンドル（２４）の出力側とを連結する第１及び第２の連結部材（５６，５８）とを有し、
前記第１と第２の回転部材（５２，５４）の回転半径が異なると共に、前記操作ハンドル（２４）の入力側の操作に基き、前記内軸（２０）及び外軸（２２）が反対方向に異なる角度回転して、前記上部刃（３６）の方が前記下部刃（３８）よりも大きいストロークで回転することを特徴とする。
【００１０】
［作用］
本発明において、上部刃（３６）及び下部刃（３８）の双方が回転する場合を例にとれば、圃場にてアスパラガス等の茎系作物の根元が上部刃（３６）と下部刃（３８）の間の適位置にくるようにカッタ部（１４）を位置決めし、操作ハンドル（２４）を閉め側に操作すると、内軸（２０）及び外軸（２２）が回転して該内軸（２０）及び外軸（２２）と夫々一体固定された上部刃（３６）及び下部刃（３８）が閉じる方向に回転し、これにより茎系作物の根元が切断される。
【００１１】
このとき、上部刃（３６）と連動して配置されて、かつ切断後の茎系作物を強制的に作物収納部（１６）に掻き込む掻込部（１８）の作用により、切断された茎系作物は作物収納部（１６）内に強制的に移動させられると共に、上部刃（３６）が下部刃（３８）よりも大きいストロークで回転して該上部刃（３６）が掻き込み作用を兼ね、切断された茎系作物は作物収納部（１６）に確実に掻き込まれる。
【００１２】
なお、上述したカッコ内の符号は図面を参照するためのものであって、本発明を何ら限定するものではない。
【００１３】
【発明の実施の形態】
以下、図面に基づき本発明の実施の形態を説明する。
【００１４】
図１は、本発明に係る作物収穫器の外観図であり、図２（ａ）〜（ｃ）はその構成を示す図である。図１及び図２において、収穫器本体１０は、操作部１２と、育成したアスパラガス等の茎系作物を切断可能なカッタ部１４と、切断後の茎系作物を収納する作物収納部１６と、切断された茎系作物を前記作物収納部１６に掻き込む掻込部１８とを有している。
【００１５】
操作部１２は、同軸状に延設され相対回転可能な内軸２０及び外軸２２を軸方向の一側にて軸承するスリーブ２６と、該スリーブ２６に一体的に固定されたハンドル支持部３４と、該ハンドル支持部３４に回動可能に軸着され内軸２０及び外軸２２を回転操作する操作ハンドル２４とを有している。前記スリーブ２６は、内軸２０及び外軸２２を回転可能に軸承すると共に、該スリーブ２６の上部には、側方に向けて一体的かつ略々水平に固定グリップ３２が突設されており、更に、スリーブ２６の下部には、側方に向けて内軸２０及び外軸２２に対し固定グリップ３２と反対方向にハンドル支持部３４が突出されている。
【００１６】
操作ハンドル２４は、図２（ａ）及び図３に示すように、側面視略々Ｌ字状をなす一体的なハンドル２４ａ及びレバー２４ｂを有し、入力側のハンドル２４ａと出力側のレバー２４ｂとの中間の連結部は、ハンドル支持部３４に設けられた支点軸２８を中心として回動可能に軸着されている。前記レバー２４ｂは、略々水平なハンドル２４ａに対し支点軸２８から上方に延設され、該レバー２４ｂの先端には、フック穴２５ａとワイヤ支持部２５ｂが形成されている。
【００１７】
カッタ部１４は、操作部１２に対し軸方向の他側にて対向配置された上部刃３６及び下部刃３８を有し、本実施形態では、上部刃３６は外軸２２に固定され、また、下部刃３８はピン３９により内軸２０に固定されている。そして、これら内軸２０及び外軸２２が反対方向に回転することにより、上部刃３６と下部刃３８が反対方向に回転し、育成したアスパラガス等の茎系茎系作物を切断する。また、上部刃３６の上部には板状の突起３６ａが形成されている。この突起３６ａは、後述するスイーパ４８と共働して切断後の茎系作物を作物収納部１６に掻き込む機能を有する。
【００１８】
なお、本実施形態では、上部刃３６及び下部刃３８の双方が回転して茎系作物を切断する場合について説明したが、これに限らず、例えば上部刃３６と下部刃３８のいずれか一方の刃が固定刃であって、この固定刃に対し、いずれか他方の刃が回転して茎系作物を切断する構成であっても良い。
【００１９】
また、本実施形態では、上部刃３６を外軸２２に固定し、下部刃３８を内軸２０に固定した場合について説明したが、これに限らず、例えば上部刃３６を内軸２０に固定し、下部刃３８を外軸２２に固定しても良い。
【００２０】
作物収納部１６は、図４及び図５に示すように、カッタ部１４よりも軸方向の端部（図では下端部）に配置された半円状の受け台４０と、該受け台４０の上方に配置されたホルダ（保持部材）４２，４２とを有し、受け台４０は内軸２０を軸装すると共に、切断された茎系作物の下面を受ける機能を有する。また、前記ホルダ４２，４２は、上下方向に延びるホルダ支持アーム４６に固定されていて、このホルダ支持アーム４６は、上部を、プレート４４を介してボルト４５によりハンドル支持部３４に取付けられ、下部において、受け台４０を固定している。
【００２１】
更に、掻込部１８は、図４〜図６に示すように、本実施形態では、外軸２２の軸方向の下方に該外軸２２と一体的に固定されて、ワイヤ部材を弓形に折曲した形状のスイーパ４８，４８を有し、このスイーパ４８，４８が所定間隔で上下に配置されている。このスイーパ４８，４８は、上部刃３６と連動して配置され、上部刃３６の突起３６ａと共に切断後の茎系作物を作物収納部１６に掻き込む機能を有する。すなわち、外軸２２が回転すると、これに連動して上部刃３６及び突起３６ａとスイーパ４８，４８とが回転して、このスイーパ４８，４８と突起３６ａにより、切断後の茎系作物が作物収納部１６内に強制的に掻き込まれる。
【００２２】
また、図２（ａ）〜（ｃ）に示したように、前記上部刃３６及び下部刃３８は、操作ハンドル２４の操作に基き、変換機構５０を介して内軸２０及び外軸２２と一体的に回転自在で、かつ上部刃３６の方が下部刃３８よりも大きいストロークで回転する。
【００２３】
すなわち、変換機構５０は、内軸２０に固定されたアーム（第１の回転部材）５２と、外軸２２に固定された半円状の溝付き駒（第２の回転部材）５４と、該アーム５２とレバー２４ｂに形成されたフック穴２５ａとを連結するフック（第１の連結部材）５６と、溝付き駒５４とレバー２４ｂに形成されたワイヤ支持部２５ｂとを連結するワイヤ（第２の連結部材）５８とを有している。
【００２４】
これらアーム５２と溝付き駒５４との回転半径は異なっていて、本実施形態では、アーム５２の回転半径の方が大きく設定されている。これにより、操作ハンドル２４の入力側のハンドル２４ａを操作すると、操作ハンドル２４の出力側のレバー２４ｂと、フック５６及びワイヤ５８を介して内軸２０及び外軸２２が反対方向に異なる角度回転すると共に、外軸２２に固定されている上部刃３６の方が、内軸２０に固定されている下部刃３８よりも大きいストロークで回転する（図５参照）。
【００２５】
また、スリーブ２６の上方には、該スリーブ２６と溝付き駒５４との間に捩りばね６０が装着されていて、固定グリップ３２とハンドル２４ａを握って該ハンドル２４ａを捩りばね６０の付勢力に抗して上方に引き操作した後、このハンドル２４ａから手を放すと、捩りばね６０の付勢力によりハンドル２４ａは元の位置に復帰する。
【００２６】
以上のように、本実施形態によれば、立ち姿勢でかつ簡単な操作で茎系作物の収穫ができると共に、簡単な構成により、ハンドル２４ａの操作に基き、内軸２０及び外軸２２を反対方向に異なる角度回転させて、しかも上部刃３６の方が下部刃３８よりも大きいストロークで回転させることができる。
【００２７】
次に、作用について説明する。
【００２８】
収穫器本体１０を、その内軸２０及び外軸２２が上下方向を向くようにして固定グリップ３２を持ち、切断しようとするアスパラガスに近接させて受け台４０の下面を圃場に当接又は若干浮きぎみに位置させる。次いで、図７に示すように、アスパラガスが上部刃３６と下部刃３８の間の適位置にくるようにして、固定グリップ３２及びハンドル２４ａを握り、該ハンドル２４ａを上方の閉め側に操作する。このときの切断長は、例えばアスパラガスの穂先を基準として該アスパラガスを略々同じ長さで切断する。
【００２９】
すると、図８に示すように、内軸２０及び外軸２２が回転してこれと一体固定された上部刃３６及び下部刃３８が閉じる方向に回転し、これによってアスパラガスの根元が切断されると共に、上部刃３６の突起３６ａとスイーパ４８の共働で、切断されたアスパラガスがホルダ４２の開口部に臨む位置に移動する。
【００３０】
次いで、図９に示すように、ハンドル２４ａを更に閉め側に操作すると、上部刃３６及び下部刃３８が更に回転すると共に、上部刃３６及びスイーパ４８が下部刃３８よりも大きいストロークで回転して、該上部刃３６及びスイーパ４８の作用によりホルダ４２内にアスパラガスが確実に掻き込まれる。ここで、ハンドル２４ａから手を放すと、捩りばね６０の付勢力で内軸２０及び外軸２２が前記と逆方向に回転し、上部刃３６及び下部刃３８が所定角度開いた位置に復帰する。
【００３１】
以上の動作を繰り返すことにより、アスパラガスを４〜５本程度連続して収穫することができる。
【００３２】
【発明の効果】
以上説明した通り、請求項１記載の発明によれば、操作ハンドルの操作に基き移動する切断刃に連動して配置され、切断後の茎系作物を作物収納部に強制的に掻き込む掻込部を備えていることにより、切断した茎系作物を作物収納部に強制的に掻き込んで確実に収穫することができる。
【００３３】
請求項２記載の発明によれば、上部刃と下部刃のいずれか一方と連動して配置され、切断後の茎系作物を強制的に作物収納部に掻き込む掻込部を有しているので、茎系作物の周囲適位置に上部刃と下部刃を対向配置してハンドル操作すれば、茎系作物を簡単に切断することができ、この切断した茎系作物を作物収納部に掻き込んで複数本まとめて収穫することができる。
【００３４】
請求項３記載の発明によれば、上部刃の方が下部刃よりも大きいストロークで回転するので、大きい方の回転ストロークを有する上部刃で、切断した茎系作物を作物収納部に掻き込むことができる。
【００３５】
請求項４記載の発明によれば、操作ハンドルと内軸及び外軸とを連結する変換機構により、内軸及び外軸を反対方向に回転させることができ、しかも簡単な構成で上部刃の方が下部刃よりも大きいストロークで回転させることができる。
【図面の簡単な説明】
【図１】本発明に係る作物収穫器の外観図である。
【図２】（ａ）はその正面図、（ｂ）はその要部平面図、（ｃ）はその要部側面図である。
【図３】図２（ａ）のＡ方向矢視図である。
【図４】図２（ａ）の側面図である。
【図５】図４のＢ方向矢視図である。
【図６】図４のＣ方向矢視図である。
【図７】図４のＢ方向矢視図で、上部刃及び下部刃間に茎系作物を配置した状態を示す図である。
【図８】図４のＢ方向矢視図で、茎系作物を切断した状態を示す図である。
【図９】図４のＢ方向矢視図で、切断した茎系作物を作物収納部に収納した状態を示す図である。
【符号の説明】
１０　　　収穫器本体
１２　　　操作部
１４　　　カッタ部
１６　　　作物収納部
１８　　　掻込部
２０　　　内軸
２２　　　外軸
２４　　　操作ハンドル
２６　　　スリーブ
２８　　　支点軸
３４　　　ハンドル支持部
３６　　　上部刃（切断刃）
３６ａ　　突起
３８　　　下部刃
４０　　　受け台
４２　　　ホルダ（保持部材）
４８　　　スイーパ
５０　　　変換機構
５２　　　アーム（第１の回転部材）
５４　　　溝付き駒（第２の回転部材）
５６　　　フック（第１の連動部材）
５８　　　ワイヤ（第２の連動部材）
６０　　　捩りばね
【図１】
2004073135.tif 000003
【図２】
2004073135.tif 000004
【図３】
2004073135.tif 000005
【図４】
2004073135.tif 000006
【図５】
2004073135.tif 000007
【図６】
2004073135.tif 000008
【図７】
2004073135.tif 000009
【図８】
2004073135.tif 000010
【図９】
2004073135.tif 000011